【手続補正書】
【提出日】平成18年7月7日(2006.7.7)
【手続補正１】
【補正対象書類名】明細書
【補正対象項目名】特許請求の範囲
【補正方法】変更
【補正の内容】
【特許請求の範囲】
【請求項１】
複数のフレームから構成される時間順次ディジタル信号内の時間空間エクステントへのリンクを有する構造化言語データで表現されたメタデータオブジェクトを生成する画像処理方法であって、
前記時間順次ディジタル信号において注目オブジェクトを検出するオブジェクト検出工程と、
前記メタデータオブジェクトに少なくとも１つのメタデータエレメントを生成する生成工程と、
前記メタデータオブジェクトの一部を形成し、前記メタデータエレメントと前記検出工程で検出された前記注目オブジェクトとの間のリンクエンティティを定義する定義工程と、
前記時間順次ディジタル信号において前記注目オブジェクトを追跡する追跡工程と、
前記注目オブジェクトの前記時間順次ディジタル信号における新規な時間空間エクステントを含むように前記メタデータオブジェクト内のリンクエンティティを更新する更新工程と、
前記生成したメタデータオブジェクトを前記時間順次ディジタル信号に関連付ける関連付け工程とを含むことを特徴とする画像処理方法。
【請求項２】
前記注目オブジェクトは前記フレーム内の背景に対する動きに基づいて検出されることを特徴とする請求項１に記載の画像処理方法。
【請求項３】
前記複数のフレームにおいて、連続した２つ又はそれ以上のフレームを比較することによって前記注目オブジェクトが検出されることを特徴とする請求項２に記載の画像処理方法。
【請求項４】
前記注目オブジェクトが各フレームにおけるその位置に関する位置情報を維持することによって追跡されることを特徴とする請求項３に記載の画像処理方法。
【請求項５】
前記位置情報が各フレームに関して更新されることを特徴とする請求項４に記載の画像処理方法。
【請求項６】
前記時間順次ディジタル信号において、検出される注目オブジェクトの１つ又は複数のクラスに関する所定の識別情報を生成する識別情報生成工程と、
前記注目オブジェクトを前記識別情報を参照して検出する検出工程と、
前記注目オブジェクトが検出された場合に、前記識別情報を当該注目オブジェクトと該当するメタデータオブジェクトとの間のリンクに関係付ける工程とを含むことを特徴とする請求項５に記載の画像処理方法。
【請求項７】
前記構造化言語データはＸＭＬデータであることを特徴とする請求項１に記載の画像処理方法。
【請求項８】
前記追跡工程は、前記フレームにおいて、複数のモーションベクトルによって特性付けられ、各モーションベクトルが前記フレーム内の複数の空間領域のモーションを表すオブジェクトモーションフィールドを前記フレームの背景との関係から決定する工程と、
所定のしきい値範囲内の対応するモーションベクトルを有する隣接した領域を１つ又は複数のオブジェクト領域内にグループ化する工程とを含むことを特徴とする請求項１に記載の画像処理方法。
【請求項９】
前記空間領域が画素であることを特徴とする請求項８に記載の画像処理方法。
【請求項１０】
前記グループ化工程が領域成長方法を利用することを特徴とする請求項９又は１０に記載の画像処理方法。
【請求項１１】
前記時間順次ディジタル信号をＭＰＥＧ−２又はＭＰＥＧ−４の方式によって符号化し、前記メタデータオブジェクトと共に記憶媒体に記憶する工程を含むことを特徴とする請求項１乃至１０のいずれか一つに記載の画像処理方法。
【請求項１２】
複数のフレームから構成される時間順次ディジタル信号内の時間空間エクステントへのリンクを有する構造化言語データで表現されたメタデータオブジェクトを生成する画像処理装置であって、
前記時間順次ディジタル信号において注目オブジェクトを検出するオブジェクト検出手段と、
前記メタデータオブジェクトに少なくとも１つのメタデータエレメントを生成する生成手段と、
前記メタデータオブジェクトの一部を形成し、前記メタデータエレメントと前記検出手段で検出された前記注目オブジェクトとの間のリンクエンティティを定義する定義手段と、
前記時間順次ディジタル信号において前記注目オブジェクトを追跡する追跡手段と、
前記注目オブジェクトの前記時間順次ディジタル信号における新規な時間空間エクステントを含むように前記メタデータオブジェクト内のリンクエンティティを更新する更新手段と、
前記生成したメタデータオブジェクトを前記時間順次ディジタル信号に関連付ける関連付け手段とを含むことを特徴とする画像処理装置。
【請求項１３】
請求項１に記載の画像処理方法を実行する制御プログラムを記憶したコンピュータにより読取り可能な記憶媒体。
【手続補正２】
【補正対象書類名】明細書
【補正対象項目名】０００７
【補正方法】変更
【補正の内容】
【０００７】
【課題を解決するための手段】
上記目的を達成するため、本発明に係る画像処理方法にあっては、
複数のフレームから構成される時間順次ディジタル信号内の時間空間エクステントへのリンクを有する構造化言語データで表現されたメタデータオブジェクトを生成する画像処理方法であって、
前記時間順次ディジタル信号において注目オブジェクトを検出するオブジェクト検出工程と、
前記メタデータオブジェクトに少なくとも１つのメタデータエレメントを生成する生成工程と、
前記メタデータオブジェクトの一部を形成し、前記メタデータエレメントと前記検出工程で検出された前記注目オブジェクトとの間のリンクエンティティを定義する定義工程と、
前記時間順次ディジタル信号において前記注目オブジェクトを追跡する追跡工程と、
前記注目オブジェクトの前記時間順次ディジタル信号における新規な時間空間エクステントを含むように前記メタデータオブジェクト内のリンクエンティティを更新する更新工程と、
前記生成したメタデータオブジェクトを前記時間順次ディジタル信号に関連付ける関連付け工程とを含むことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】００５１
【補正方法】削除
【補正の内容】
【手続補正４７】
【補正対象書類名】明細書
【補正対象項目名】００５２
【補正方法】削除
【補正の内容】
【手続補正４８】
【補正対象書類名】明細書
【補正対象項目名】００５３
【補正方法】削除
【補正の内容】
【手続補正４９】
【補正対象書類名】明細書
【補正対象項目名】００５４
【補正方法】削除
【補正の内容】
【手続補正５０】
【補正対象書類名】明細書
【補正対象項目名】００５５
【補正方法】削除
【補正の内容】
【手続補正５１】
【補正対象書類名】明細書
【補正対象項目名】００５６
【補正方法】削除
【補正の内容】
【手続補正５２】
【補正対象書類名】明細書
【補正対象項目名】００５７
【補正方法】削除
【補正の内容】